(57)【特許請求の範囲】
【請求項１】
ほぼ中心に立設したモニュメントを中心軸にして、該モニュメントの周囲には砂を敷設した円形状の永代用散骨地を配置し、該永代用散骨地の外周には芝生を植設した前記永代用散骨地と同心円のドーナツ形状の芝生地を配置し、この芝生地の外周には、一部に通路を設け、該通路以外の部分に砂を敷設した、前記芝生地と同心円のドーナツ形状の個別用散骨地を配置し、該個別用散骨地は通路を除いた部分を複数の区画に区分し、各区画の境界には境杭を配設すると共に境界金具を配置し、施設内への小動物等の侵入を防止するために、前記個別用散骨地の外周には侵入防止塀を円周方向に起立固定し、通路部分の出入り口には開閉扉を取り付けて全体を囲成し、前記個別用散骨地の各区画には侵入防止塀の外側から視認可能に石板を配置することを特徴とする囲繞型個別永代併用式散骨施設。
【請求項２】
永代用散骨地はモニュメントの周囲に方形、多角形等任意形状に形成し、芝生地は該永代用散骨地の周囲に方形、多角形等任意形状に形成し、さらに個別用散骨地は該芝生地の外周に所定幅の方形、多角形等任意形状に形成することを特徴とする請求項１記載の囲繞型個別永代併用式散骨施設。
【請求項３】
境界金具は、個別用散骨地の幅よりやや短い直線部の両端に脚部を垂下設し、該脚部の下端に散骨地からの浮き上がりを防止可能な横金具を一体に設けたことを特徴とする請求項１又は２に記載の囲繞型個別永代併用式散骨施設。
【請求項４】
石板は方形、多角形その他の形状に形成し、該石板の表面には、生前は願主、俗名等を刻設し、没後は享年・没年月日等を追加して刻設することを特徴とする請求項１又は２に記載の囲繞型個別永代併用式散骨施設。
【請求項５】
石板の表面には、没後は享年・没年月日等を追加して刻設後、該刻設文字及び俗名と共に白ペイントで着色することを特徴とする請求項１又は２又は４に記載の囲繞型個別永代併用式散骨施設。
【請求項６】
石板は、個別用散骨地の区画に配置したとき個別用散骨地の外側から視認容易に、前部より後部を高くした勾配に形成したことを特徴とする請求項１又は２に記載の囲繞型個別永代併用式散骨施設。
【請求項７】
ほぼ中心に立設したモニュメントを中心軸にして、該モニュメントの周囲には砂を敷設した円形状の永代用散骨地を配置し、該永代用散骨地の外周には芝生を植設した前記永代用散骨地と同心円のドーナツ形状の芝生地を配置し、この芝生地の外周には、一部に通路を設け、該通路以外の部分に砂を敷設した、前記芝生地と同心円のドーナツ形状の個別用散骨地を配置し、該個別用散骨地は通路を除いた部分を複数の区画に区分し、各区画の境界には境杭を配設すると共に境界金具を配置し、施設内への小動物等の侵入を防止するために、前記個別用散骨地の外周には侵入防止塀を円周方向に起立固定し、通路部分の出入り口には開閉扉を取り付けて全体を囲成し、前記個別用散骨地の各区画には侵入防止塀の外側から視認可能に石板を配置する囲繞型個別永代併用式散骨施設を使用し、
使用者は散骨施設所有者との間で、個別用散骨地の各区画について使用期限付きの土地貸借契約を締結して所定期間使用し、該使用期限経過後、散骨施設所有者は個別用散骨地における前記使用者の遺灰付着砂の一部を中央部の永代用散骨地に移動後、使用済の個別用散骨地の各区画には新規砂を敷設し、使用期限付きの土地貸借契約を締結した次の使用者が個別用散骨地の各区画に散骨を行う構成とし、永代用散骨地の散骨と個別用散骨地の散骨を同一地続きの施設内に保管して、新使用者は旧使用者の供養も併せて同一施設内の散骨施設で追悼可能にしてなる、囲繞式併用型散骨施設を使用した無縁化防止方法。
【請求項８】
永代用散骨地はモニュメントの周囲に方形、多角形等任意形状に形成し、芝生地は該永代用散骨地の周囲に方形、多角形等任意形状に形成し、さらに個別用散骨地は該芝生地の外周に所定幅の方形、多角形等任意形状に形成することを特徴とする、請求項７記載の囲繞型個別永代併用式散骨施設を使用した無縁化防止方法。
【発明の詳細な説明】
【技術分野】
【０００１】
本発明は、都市近郊、里山、田園等に設置（建設）可能な、散骨施設全体を外部から小動物が侵入するのを防止する侵入防止用塀で囲み、同じ散骨施設内の中央に永代用散骨地を設けると共にその周囲に個別用散骨地の両方を配置し、同散骨施設内でいずれの使用者も散骨地を追悼、供養できる、いわゆる囲繞型個別永代併用式散骨施設、この散骨施設を使用した無縁化防止方法に関するものである。
【０００２】
本発明の説明において、「散骨」とは火葬された骨を更に細かく粉骨して、パウダー状にしたものを地上等に撒くことであり、一般の墳墓、墓地への埋葬（埋蔵）とは異なるものである。
【背景技術】
【０００３】
現在、散骨の方法として、広大な場所、例えば海上撒布、山中撒布、空中散布等の方法が取られている。また、墓地の中に骨灰を蒔く発明として特開２０００−１２９９６０（特許文献１参照））がある。
【先行技術文献】
【特許文献】
【０００４】
【特許文献１】特開２０００−１２９９６０公報
【発明の概要】
【発明が解決しようとする課題】
【０００５】
(1)「散骨」は墓地の埋蔵・収蔵に替わる新しい葬送方法として、平成3年に相模湾における海上散骨以来、現在では「自然葬」の名で認められ、海上、山中、空中等広大な場所へ散骨する葬送が自由に行われている。しかしながら、これらの散骨場所は、市街地からは遠く離れ、広大な面積の場所であるために、散骨場所を特定できない欠点があり、故人を供養するという焦点が定まらない。また、日本人の宗教感情、厳かな葬送からもかけ離れた葬送方法である。
【０００６】
(2)「自然葬」で山中に散骨した場合は、単に山中の広い場所にばら撒いている。その結果、近隣の山林や農地の所有者から迷惑施設として反対され、散骨場所を公表できないという問題点がある
【０００７】
(3)墓地問題については、都市化の進展、核家族化の進行、高齢人口の増加、火葬率の上昇等の社会的要因や家意識の希薄化、葬送の自由の高まりが背景にある。特に、墓地については、墓地不足、墓地墓石の高価格化、更には、代々長子が墓の管理を受け継ぐ仕組みが崩れるにつれ、供養する人がいない「無縁墓」が増えてゆくという問題は、既に社会的に表面化している。
【０００８】
本発明は上記問題点に鑑みて、都市近郊の狭い面積の場所でも設置可能な囲繞型個別永代併用式散骨施設及び、墓地不足の解消と墓地の低廉化を可能とし、無縁化を防止するその散骨施設を使用した無縁化防止方法を提供するものである。
【課題を解決するための手段】
【０００９】
上記課題を解決するための手段のうち、本発明の囲繞型個別永代併用式散骨施設における主たる構成（請求項１）は、
ほぼ中心に立設したモニュメントを中心軸にして、該モニュメントの周囲には砂を敷設した円形状の永代用散骨地を配置し、該永代用散骨地の外周には芝生を植設した前記永代用散骨地と同心円のドーナツ形状の芝生地を配置し、この芝生地の外周には、一部に通路を設け、該通路以外の部分に砂を敷設した、前記芝生地と同心円のドーナツ形状の個別用散骨地を配置し、該個別用散骨地は通路を除いた部分を複数の区画に区分し、各区画の境界には境杭を配設すると共に境界金具を配置し、施設内への小動物等の侵入を防止するために、前記個別用散骨地の外周には侵入防止塀を円周方向に起立固定し、通路部分の出入り口には開閉扉を取り付けて全体を囲成し、前記個別用散骨地の各区画には侵入防止塀の外側から視認可能に石板を配置することを特徴とする、と言うものである。
【００１０】
本発明における囲繞型個別永代併用式散骨施設の主たる構成の他の構成（請求項２）は、
永代用散骨地はモニュメントの周囲に方形、多角形等任意形状に形成し、芝生地は該永代用散骨地の周囲に方形、多角形等任意形状に形成し、さらに個別用散骨地は該芝生地の外周に所定幅の方形、多角形等任意形状に形成する、と言うものである。
【００１１】
本発明における請求項３に係る発明は、請求項１又は２に記載の囲繞型個別永代併用式散骨施設において、
境界金具は、個別用散骨地の幅よりやや短い直線部の両端に脚部を垂下設し、該脚部の下端に散骨地からの浮き上がりを防止可能な横金具を一体に設けたことを特徴とする、と言うものである。
【００１２】
本発明における請求項４に係る発明は、請求項１又は２に記載の囲繞型個別永代併用式散骨施設において、
石板は方形、多角形その他の形状に形成し、該石板の表面には、生前は願主、俗名等を刻設し、没後は享年・没年月日等を追加して刻設することを特徴とする、と言うものである。
【００１３】
本発明における請求項５に係る発明は、請求項１又は２又は４に記載の囲繞型個別永代併用式散骨施設において、
石板の表面には、没後は享年・没年月日等を追加して刻設後、該刻設文字及び俗名等と共に白ペイントで着色することを特徴とする、と言うものである。
【００１４】
本発明における請求項６に係る発明は、請求項１又は２に記載の囲繞型個別永代併用式散骨施設において、
石板は、個別用散骨地の区画に配置したとき個別用散骨地の外側から視認容易に、前部より後部を高くした勾配に形成したことを特徴とする、と言うものである。
【００１５】
上記課題を解決するための手段のうち、本発明の囲繞型個別永代併用式散骨施設を使用した無縁化防止方法における主たる構成（請求項７）は、
ほぼ中心に立設したモニュメントを中心軸にして、該モニュメントの周囲には砂を敷設した円形状の永代用散骨地を配置し、該永代用散骨地の外周には芝生を植設した前記永代用散骨地と同心円のドーナツ形状の芝生地を配置し、この芝生地の外周には、一部に通路を設け、該通路以外の部分に砂を敷設した、前記芝生地と同心円のドーナツ形状の個別用散骨地を配置し、該個別用散骨地は通路を除いた部分を複数の区画に区分し、各区画の境界には境杭を配設すると共に境界金具を配置し、施設内への小動物等の侵入を防止するために、前記個別用散骨地の外周には侵入防止塀を円周方向に起立固定し、通路部分の出入り口には開閉扉を取り付けて全体を囲成し、前記個別用散骨地の各区画には侵入防止塀の外側から視認可能に石板を配置する囲繞型個別永代併用式散骨施設を使用し、
使用者は散骨施設所有者との間で、個別用散骨地の各区画について使用期限付きの土地貸借契約を締結して所定期間使用し、該使用期限経過後、散骨施設所有者は個別用散骨地における前記使用者の遺灰付着砂の一部を中央部の永代用散骨地に移動後、使用済の個別用散骨地の各区画には新規砂を敷設し、使用期限付きの土地貸借契約を締結した次の使用者が個別用散骨地の各区画に散骨を行う構成とし、永代用散骨地の散骨と個別用散骨地の散骨を同一地続きの施設内に保管して、新使用者は旧使用者の供養も併せて同一施設内の散骨施設で追悼可能にしてなる、囲繞式併用型散骨施設を使用した無縁化防止方法、と言うものである。
【００１６】
本発明の請求項８に係る発明は、請求項７に記載の囲繞型個別永代併用式散骨施設を使用した無縁化防止方法において、
永代用散骨地はモニュメントの周囲に方形、多角形等任意形状に形成し、芝生地は該永代用散骨地の周囲に方形、多角形等任意形状に形成し、さらに個別用散骨地は該芝生地の外周に所定幅の方形、多角形等任意形状に形成することを特徴とする、と言うものである。
【発明の効果】
【００１７】
本発明は上記構成となっているので、以下に示す効果を奏する、
(1)本発明によれば、地理的条件が市街地から近い都市近郊、里山、田園等で、加えて小面積の土地に設置でき、散骨施設内は小動物等が容易に侵入して荒らすことのないため、使用者は、交通利便な散骨施設において崇高な気持ちで散骨し追悼することが出来る。
【００１８】
(2)本発明の散骨施設は、短期間で建設でき、かつ工事費も安く出来る。さらには、小面積の土地を有効活用できる。そのため、墓地不足の解消と低廉化が実現出来る。
【００１９】
(3)骨粉の主成分はリン酸カルシウムであり、肥料として又歯磨き粉にも利用され、全く無害である。散骨後は地中に溶け込み、名実共に大地に還ってゆくものである。従って、本発明の散骨施設のキャパシティは新旧砂の入れ替えにより無限であり、災害等で散骨施設が壊滅しない限り、永久に使用できる追悼施設である。
【００２０】
(4)散骨は散骨施設の定められた場所に散布されるため、散骨施設を清潔に保持出来る。また、散骨施設は清掃や管理が容易であり、メンテナンスが安価にできる。さらに、散骨は散骨施設の特定の場所に行われるため、隣接地に宅地、農地等の利用が容易である。
【００２１】
(5) 散骨施設内は常に緑色の自然物の芝生、自然物の砂、石板等モニュメントとの美しい調和により構築されるため、参拝者、その他これを見るものに精神的な安らぎを与える効果を発揮する。
【００２２】
(6) 散骨地に配置された石板には、契約により、生前より俗名等が刻設でき、没後への安心感を使用者に与える。また、没後は享年、没年月日が追加刻設され、俗名等と共に白ペイントで刻まれた文字は着色されるため、視認性よく配列される。その結果、追悼者は目的の石板を容易に見つけて追悼できる。
【００２３】
(7)使用者が個別用散骨地の使用契約期間、例えば約30年を経過した期間後に、散骨施設所有者が個別用散骨地の散骨付着砂の一部を同一地続きの敷地内の中央に配置した永代用散骨地に移動し、次の新使用者が、同一地続きの敷地内の施設において続行して追悼可能となり、無縁化を防止でき、永代供養ができる。また、散骨された故人の継承者が分からなくなっても新使用者により追悼でき、無縁化が防止できる。
【００２４】
(8)使用期限後における「個別用散骨地」の継承者が不明、不在であっても、契約期限後に契約解除された個別用散骨地は開放され、散骨付着砂の一部が永代用散骨地に移動され後継の新使用者によって、同じ施設内の地縁者として「永代」に亘り追悼され、供養されて行く。
また、この結果、少子化、高齢化、個人化の中で、墓問題で注目されている「継承者不足」、「無縁墓」等の問題が解決できる。
【００２５】
(9) 個別用散骨地の散骨付着砂の一部は同一地続きの敷地内の中央に配置した永代用散骨地への移動であるため「改葬」等における面倒な一切の手続は不要である。従って、地縁者は本発明の散骨施設において永遠に追悼・供養ができ、無縁化が防止できる。
【図面の簡単な説明】
【００２６】
【図１】本発明の散骨施設の実施例の斜視図。
【図２】本発明の散骨施設の平面図。
【図３】本発明の要部拡大図。
【図４】本発明の（ａ）はＡ―Ａ断面図、（ｂ）は境界金具の斜視図。
【図５】本発明の別実施例の平面図。
【発明を実施するための形態】
【００２７】
本発明の囲繞式併用型散骨施設を図１から図５を参照して説明する。
【００２８】
ほぼ中心に立設したモニュメント１３を中心軸にして、該モニュメント１３の周囲には砂７を敷設した円形状の永代用散骨地１４が配置されている。
【００２９】
前記永代用散骨地１４の外周には、比較的低い自然石２０（図５参照）により囲ってもよい。
【００３０】
また、該永代用散骨地１４を中心に、その外周には芝生３を植設した前記永代用散骨地１４と同心円のドーナツ形状の芝生地２を配置し、この芝生地２の外周には、一部に通路１８を設け、該通路１８以外の部分に砂７を敷設した、前記芝生地２と同心円のドーナツ形状の個別用散骨地４が配置されている。
【００３１】
個別用散骨地４が直径１６ｍの場合は、各区画１１を広くして景観を良好にするため３６区画に形成し、このうち３区画程度を通路１８に形成するのがよい。この通路１８は芝生地２と連続するように芝生３を植設するのがよい。
【００３２】
前記個別用散骨地４は通路１８を除いた部分を複数の区画１１に区分し、各区画１１の境界には境杭６を配設すると共に境界金具５が配置されている。
【００３３】
また、施設内への小動物等の侵入を防止するために、前記個別用散骨地４の外周には侵入防止塀１０を円周方向に起立固定し、通路１８部分の出入り口１７には開閉扉１６を取り付けて全体を囲成している。前記侵入防止塀１０は、図４のように、中央に溝部８を有するＵ字側溝９を円周方向に設置し、該溝部８に侵入防止塀１０を起立固定してもよいものである。また、コンクリートを仮枠に流して形成してもよいものである。
【００３４】
さらに、前記個別用散骨地４の各区画１１には侵入防止塀１０の外側から視認可能に石板１２が配置されている。
【００３５】
前記永代用散骨地１４はモニュメント１３の周囲に方形、多角形等任意形状に形成し、前記芝生地２は該永代用散骨地１４の周囲に方形、多角形等任意形状に形成し、さらに前記個別用散骨地４は該芝生地２の外周に所定幅の方形、多角形等任意形状に形成してもよい。
【００３６】
前記境界金具５は、個別用散骨地４の幅Ｌよりやや短い直線部５１の両端に脚部５２を垂下設し、該脚部５２の下端に埋設地からの浮き上がりを防止可能な横金具５３が一体に設けられている。
【００３７】
前記石板１２は、方形、多角形その他の形状に形成し、該石板１２の表面には、生前は願主、俗名等を刻設し、没後は享年・没年月日等を追加して刻設されている（図示省略）。
【００３８】
石板１２の表面には、没後は享年・没年月日等を追加して刻設後、該刻設文字及び俗名等と共に白色ペイント、その他の色彩のペイントで着色し、生前と没後を区別表示するのがよい。
【００３９】
石板１２は、図４に図示したように、個別用散骨地４の区画１１に配置したとき個別用散骨地４の外側から視認容易に、前部（侵入防止塀１０側）より後部（芝生地２側）を高くした勾配に形成されている。
【００４０】
石板１２は、例えば４０ｃｍ×６０ｃｍ程度の大きさで、クレーン機器を使用しなければ、人力では容易に移動し難い重量が５０Ｋｇ程度の、設置時安定性の良好な黒御影石、白御影石等を用い、前記個別用散骨地４、永代用散骨地１４内には散骨に対する尊厳と散骨地を清潔に維持するため砂７と石板１２以外の物は一切置かないこととする。
【００４１】
本発明の囲繞式併用型散骨施設を使用した無縁化防止方法は、既に説明の
ほぼ中心に立設したモニュメント１３を中心軸にして、該モニュメント１３の周囲には砂７を敷設した円形状の永代用散骨地１４を配置し、該永代用散骨地１４の外周には芝生３を植設した前記永代用散骨地１４と同心円のドーナツ形状の芝生地２を配置し、この芝生地２の外周には、一部に通路１８を設け、該通路１８以外の部分に砂７を敷設した、前記芝生地２と同心円のドーナツ形状の個別用散骨地４を配置し、該個別用散骨地４は通路１８を除いた部分を複数の区画１１に区分し、各区画１１の境界には境杭６を配設すると共に境界金具５を配置し、施設内への小動物等の侵入を防止するために、前記個別用散骨地４の外周には侵入防止塀１０を円周方向に起立固定し、通路１８部分の出入り口には開閉扉１６を取り付けて全体を囲成し、前記個別用散骨地４の各区画１１には侵入防止塀１０の外側から視認可能に石板１２を配置する囲繞型個別永代併用式散骨施設を使用するものであるので、この説明は省略する。
【００４２】
また、図１、図２、図５を参照して説明する。
前記囲繞式併用型散骨施設において、使用者は散骨施設所有者との間で、個別用散骨地の各区画１１について使用期限付きの土地貸借契約を締結して所定期間使用し、該使用期限経過後、散骨施設所有者は個別用散骨地４における前記使用者の遺灰付着砂１５の一部を中央部の永代用散骨地に移動後、使用済の個別用散骨地４の各区画１１には新規砂を敷設し、使用期限付きの土地貸借契約を締結した次の使用者が個別用散骨地４の各区画１１に散骨を行う構成とし、永代用散骨地１４の散骨と個別用散骨地４の散骨を同一地続きの施設内に保管して、新使用者は旧使用者の供養も併せて同一施設内の散骨施設で追悼可能にしてなる、囲繞式併用型散骨施設を使用した無縁化防止方法
【００４３】
前記永代用散骨地１４はモニュメント１３の周囲に方形、多角形等任意形状に形成し、芝生地２は該永代用散骨地１４の周囲に方形、多角形等任意形状に形成し、さらに個別用散骨地４は該芝生地２の外周に所定幅の方形、多角形等任意形状に形成されているが、この構成も前記囲繞式併用型散骨施設で説明しているので省略する。
【符号の説明】
【００４４】
１  散骨施設
２  芝生地
３  芝生
４  個別用散骨地
５  境界金具
６  境杭
７  砂
８  溝部
９  Ｕ字溝
１０  侵入防止用塀
１１  区画
１２  石板
１３  モニュメント
１４  永代用散骨地
１５  遺灰付着砂
１６  開閉扉
１７  出入り口
１８  通路
１９  土壌
２０  自然石
【図１】
0005464524.tif 000002
【図２】
0005464524.tif 000003
【図３】
0005464524.tif 000004
【図４】
0005464524.tif 000005
【図５】
0005464524.tif 000006